(57)【要約】【課題】  少なくともプロジェクタ機能に関する操作を行うことができる遠隔操作部を備え、かつ発熱源の放熱を確実に行うことができる撮影装置を提供する。【解決手段】  投影装置及び撮像装置を収容する筐体３と、前記筐体３に着脱可能な遠隔操作部１９と、前記遠隔操作部１９が取り付けられる前記筐体３の領域の一部または全部に設けられる放熱部４５とを備える。【選択図】  図３
2010191270.tif 000002
【特許請求の範囲】
【請求項１】
投影装置及び撮像装置を収容する筐体と、
前記筐体に着脱可能な遠隔操作部と、
前記遠隔操作部が取り付けられる前記筐体の領域の一部または全部に設けられる放熱部と、
を備えることを特徴とする撮影装置。
【請求項２】
前記放熱部は、被写体光を前記撮像装置に導く開口が設けられる前記筐体の面と対向する面に設けられることを特徴とする請求項１記載の撮影装置。
【請求項３】
前記遠隔操作部は、前記撮像装置により撮像された画像を表示する表示部を備えることを特徴とする請求項１または請求項２記載の撮影装置。
【請求項４】
前記撮像装置により撮像された画像を表示する表示部と、
前記表示部を前記筐体に対して回動可能に支持する支持部とを更に備え、
前記放熱部は、前記表示部が前記筐体側に回動したときに接触する前記筐体の領域の一部または全部に設けられることを特徴とする請求項１または請求項２記載の撮影装置。
【請求項５】
前記放熱部は、熱伝導性材料により構成されることを特徴とする請求項１〜請求項４の何れか一項に記載の撮影装置。
【請求項６】
前記放熱部は、凹凸部を有する部材により構成されることを特徴とする請求項１〜請求項４の何れか一項に記載の撮影装置。
【請求項７】
前記筐体の一部の領域は前記筐体の他の領域に比して薄く形成されており、前記一部の領域が前記放熱部をなすことを特徴とする請求項１〜請求項４の何れか一項に記載の撮影装置。
【発明の詳細な説明】
【技術分野】
【０００１】
本発明は、プロジェクタユニットを備えた撮影装置に関するものである。
【背景技術】
【０００２】
プロジェクタユニットを備えたカメラ用であって、カメラ本体に直接触れることなくプロジェクタ機能に関する操作を行うことができるカメラ用リモコンが提案されている（例えば、特許文献１参照）。
【先行技術文献】
【特許文献】
【０００３】
【特許文献１】特開２００８−２４９９６０号公報
【発明の概要】
【発明が解決しようとする課題】
【０００４】
プロジェクタユニットを備えた撮影装置において投影像を投影する場合には、プロジェクタ機能に関する操作の際に装置本体に直接触れることにより投影像がぶれるのを防止するために、遠隔操作を行うことができるリモコンが必要とされている。また、プロジェクタユニットの光源からの発熱等は撮影装置内の温度を上昇させ、投影像のコントラスト低下の要因となるため、発熱源の放熱を確実に行う必要がある。
【０００５】
本発明の目的は、少なくともプロジェクタ機能に関する操作を行うことができる遠隔操作部を備え、かつ発熱源の放熱を確実に行うことができる撮影装置を提供することである。
【課題を解決するための手段】
【０００６】
本発明の撮影装置は、投影装置及び撮像装置を収容する筐体と、前記筐体に着脱可能な遠隔操作部と、前記遠隔操作部が取り付けられる前記筐体の領域の一部または全部に設けられる放熱部とを備えることを特徴とする。
【発明の効果】
【０００７】
本発明の撮影装置によれば、少なくともプロジェクタ機能に関する操作を行うことができる遠隔操作部を備え、かつ発熱源の放熱を確実に行うことができる。
【図面の簡単な説明】
【０００８】
【図１】第１の実施の形態に係るカメラの外観を示す正面図である。
【図２】第１の実施の形態に係るカメラの外観を示す斜視図である。
【図３】筐体からリモコンを取り外した状態を示す図である。
【図４】カメラの筐体内の各ユニットの配置位置を示す概略図である。
【図５】第２の実施の形態に係るカメラの外観を示す斜視図である。
【図６】第３の実施の形態に係るカメラの外観を示す斜視図である。
【発明を実施するための形態】
【０００９】
以下、図面を参照して、本発明の第１の実施の形態に係る撮影装置としてのカメラについて説明する。図１は、第１の実施の形態に係るカメラ１の外観を示す正面図である。図１に示すように、カメラ１は、後述する撮像ユニット３９、プロジェクタユニット４１及び電池室４３（図４参照）等を収容する筐体３を備えている。筐体３の前面には、被写体光をカメラ１内部に導く撮影窓５、フラッシュ光が射出されるフラッシュ窓７、及びプロジェクタ投影窓９が設けられている。また、カメラ１の上部には、レリーズ動作を指示するシャッタボタン１１、カメラ１の電源をオンオフする電源スイッチ１３、及び通信窓部１５ａ等が設けられている。通信窓部１５ａの内部には、後述するリモコン１９からの操作信号を受信するためのインターフェースである通信部１５が設けられている。
【００１０】
図２は、第１の実施の形態に係るカメラ１の外観を示す背面斜視図である。図２に示すように、筐体３の背面には、液晶ディスプレイ１７、及び嵌め込み機構もしくはマグネットなどにより筐体３に対して着脱可能なリモコン１９が設けられている。
【００１１】
図３は、筐体３からリモコン１９を取り外した状態を示す図である。リモコン１９は、カメラ１が有するカメラ機能及びプロジェクタ機能に関する操作を行うことができる遠隔操作部材２１、及び通信窓部２３ａを備えている。通信窓部２３ａの内部には、遠隔操作部材２１による操作内容を示す各種の操作信号を通信部１５へ送信するためのインターフェースである通信部２３が設けられている。遠隔操作部材２１から出力される操作信号は、リモコン１９の筐体３への装着の有無にかかわらず、通信窓部２３ａ及び１５ａを介して筐体３側に送信される。操作信号の送信は例えば赤外線通信等の光を用いた通信により行われる。遠隔操作部材２１は、拡大縮小ボタン２５、モードボタン２７、切換ボタン２９、メニューボタン３１、削除ボタン３３、マルチセレクタ３５、及びＯＫボタン３７を含んで構成されている。なお、この実施の形態に係るリモコン１９は、カメラ機能及びプロジェクタ機能に関する操作を行うことができる遠隔操作部材２１を備えているが、少なくともプロジェクタ機能に関する操作を行うことができる遠隔操作部材を備えていればよい。
【００１２】
拡大縮小ボタン２５は、カメラ１がカメラとして機能するカメラモードに設定されている場合には、撮影光学系のズーミング調整、および液晶ディスプレイ１７に再生表示中の画像の拡大縮小操作に用いられ、カメラ１が投影像を投影する投影モードに設定されている場合には、投影像のズーミング操作に用いられる。
【００１３】
モードボタン２７は、カメラモードの場合には、被写体を撮影する撮影モードと撮影した画像を再生する再生モードとの間の切換操作に用いられ、投影モードの場合には、投影像の各種設定を行うための調整モードの起動操作に用いられる。調整モードでは、例えば投影像の焦点状態、光量、画角、および台形補正等の調整を行うことができる。切換ボタン２９は、カメラモードと投影モードとの間の切換操作、投影モードにおける調整モードの終了操作に用いられる。メニューボタン３１は、カメラ１の各種機能を選択、設定するためのメニュー画面を液晶ディスプレイ１７に表示させる際に用いられる。削除ボタン３３は、記録媒体に記録されている画像データを削除する際に用いられる。
【００１４】
マルチセレクタ３５は、カメラモードの場合には、液晶ディスプレイ１７に表示されているメニュー画面上の各種メニューを選択操作するために用いられる。また、再生モードの場合には、液晶ディスプレイ１７に再生表示中の画像のコマ送りまたはコマ戻しするために用いられ、投影モードの場合には、スクリーンに投影中の投影像の切換操作に用いられる。ＯＫボタン３７は、マルチセレクタ３５で選択された内容を決定するために用いられる。
【００１５】
図４は、第１の実施の形態に係るカメラ１において、内部に収容されている各ユニットの配置を示す正面図である。カメラ１の内部には、被写体光をカメラ１内部に導く撮影光学系（図示せず）及び撮影光学系を介した被写体光を撮像するための撮像素子（図示せず）等を有する撮像ユニット３９、投影像を投影するための投影光学系（図示せず）等を有するプロジェクタユニット４１、撮像ユニット３９及びプロジェクタユニット４１に電力を供給するバッテリを収容する電池室４３が設けられている。
【００１６】
カメラ１が撮影モードに切換えられている場合には、撮像ユニット３９において、撮影光学系を介した被写体光をＣＣＤやＣＭＯＳ等により構成される撮像素子による撮像、撮像素子から出力された撮像信号に対する画像処理、画像処理後の画像データの記録媒体（図示せず）への記録等が行われる。一方、カメラ１が投影モードに切換えられている場合には、プロジェクタユニット４１において、投影用の光源であるＬＥＤ（図示せず）の点灯、記録媒体に記録されている投影用画像データに応じた投影用画像の液晶パネル（図示せず）への表示、投影光学系を介した投影用画像の光学像のプロジェクタ投影窓１０からの投影等が行われる。
【００１７】
ところで、カメラ１には、図３に示すように、プロジェクタユニット４１のＬＥＤの点灯により生じる熱を筐体３外に放出するために、リモコン１９が取り付けられる筐体３の領域の下部に放熱部材４５が設けられている。放熱部材４５は、撮影窓５等が設けられている筐体３の前面と対向する筐体３の背面であって、プロジェクタユニット４１のＬＥＤが設置されている位置近傍に設けられており、例えば、アルミ、銅や、微量の銅を添加したアルミ等の金属などの熱伝導性に優れた熱伝導性材料により構成されている。よって、放熱部材４５は、リモコン１９が筐体３に装着されているときには外観できず、リモコン１９が筐体３から取り外されたときには二次外観として出現する。したがって、プロジェクタ機能に関する操作の際にカメラ１本体に直接触れることによる投影像のぶれを防止するためにリモコン１９を取り外して使用したとき、プロジェクタユニット４１のＬＥＤからの熱は、放熱部材４５に伝導され、筐体３（カメラ１）外に放出される。
【００１８】
第１の実施の形態に係るカメラ１によれば、リモコン１９が取り付けられる筐体３の領域の下部に熱伝導性材料に構成された放熱部材４５が設けられているため、プロジェクタユニット４１のＬＥＤ等の発熱源の放熱を確実に行うことができる。即ち、従来のプロジェクタ機能を有する機器のように放熱部材から筐体を介して機器外に放熱するのではなく、放熱部材から直接カメラ１外に放熱することができるため、効率良い放熱を行うことができる。また、放熱部材４５がリモコン１９を取り外した場合のみ二次外観として出現する位置の設けられているため、美観を損なうこともない。
【００１９】
次に、図面を参照して、本発明の第２の実施の形態に係る撮影装置としてのカメラについて説明する。図５は、第２の実施の形態に係るカメラ１ａの構成を示す図である。なお、第２の実施の形態に係るカメラ１ａにおいては、第１の実施の形態に係るカメラ１の構成と同一の構成についての説明を省略し、同一の構成には同一の符号を用いて説明を行う。
【００２０】
図５に示すように、筐体３の背面には、嵌め込み機構もしくはマグネットなどにより筐体３に対して着脱可能なリモコン４７が設けられている。なお、図５では、筐体３からリモコン４７を筐体３から取り外した状態を示している。リモコン４７は、液晶ディスプレイ１７、遠隔操作部材２１、通信部２３、及び通信窓部２３ａを備えている。
【００２１】
また、カメラ１ａには、プロジェクタユニット４１のＬＥＤの点灯により生じる熱及び電源部４３から生じる熱を筐体３外に放出するために、リモコン４７が取り付けられる筐体３の領域の下部に放熱部材４８が設けられている。放熱部材４８は、撮影窓５等が設けられている筐体３の前面と対向する筐体３の背面であって、プロジェクタユニット４１のＬＥＤが設置されている位置及び電源部４３の位置近傍に設けられており、熱伝導性材料により構成されている。放熱部材４８は、図３に示す放熱部材４５と同様に、リモコン４７が筐体３に装着されているときには外観できず、リモコン４７が筐体３から取り外されたときには二次外観として出現する。したがって、リモコン４７を取り外して使用したとき、プロジェクタユニット４１のＬＥＤからの熱及び電源部４３からの熱は、放熱部材４８に伝導され、筐体３（カメラ１ａ）外に放出される。
【００２２】
第２の実施の形態に係るカメラ１ａによれば、第１の実施の形態に係るカメラ１における効果に加えて、筐体３の背面の下部全体に放熱部材４８が設けられているため、電源部４３からの熱も放熱することができる。また、リモコン４７が液晶ディスプレイ１７を備えているため、スクリーンに投影されている画像を液晶ディスプレイ１７に表示させることにより、ユーザーはリモコン４７を用いて液晶ディスプレイ１７に表示される画像を観ながら投影に関する操作を行うことができる。
【００２３】
次に、図面を参照して、本発明の第３の実施の形態に係る撮影装置としてのカメラについて説明する。図６は、第３の実施の形態に係るカメラ１ｂの構成を示す図である。なお、第３の実施の形態に係るカメラ１ｂにおいては、第１の実施の形態に係るカメラ１の構成と同一の構成についての説明を省略し、同一の構成には同一の符号を用いて説明を行う。
【００２４】
カメラ１ｂは、図６に示すように、液晶ディスプレイ１７を備え、液晶ディスプレイ１７を筐体３に対して図中矢印方向に回動可能な移動部材５０を備えている。移動部材５０は、例えば蝶番等により構成される支持部５１により、筐体３背面の左端部、即ち撮影時または投影時にカメラ１ｂを載置する載置面に対して直交方向を回動軸として筐体３背面に対して回動可能に支持されている。
【００２５】
また、カメラ１ｂには、プロジェクタユニット４１のＬＥＤの点灯により生じる熱及び電源部４３から生じる熱を筐体３外に放出するために、移動部材５０が筐体３側に回動したときに接触する筐体３の領域の一部、及びリモコン１９が取り付けられる筐体３の領域の一部に放熱部材５２が設けられている。放熱部材５２は、図５に示す放熱部材４７と同様の構成を有しているため、詳細な説明を省略する。移動部材５０を筐体３に対して回動させたとき、リモコン１９を取り外したとき、または支持部５０及びリモコン１９の両方が筐体３に接触していないとき、プロジェクタユニット４１のＬＥＤからの熱及び電源部４３からの熱の少なくとも一方は、放熱部材５２に伝導され、筐体３（カメラ１ｂ）外に放出される。
【００２６】
第３の実施の形態に係るカメラ１ｂによれば、第１及び第２の実施の形態に係るカメラ１，１ａにおける効果に加えて、液晶ディスプレイ１７（移動部材５０）を筐体３に対して回動可能に支持する支持部５１を備えているため、移動部材５０を筐体３に対して回動させたとき、撮影時または投影時にカメラ１ｂを載置する載置面上での安定性を向上させることができる。
【００２７】
なお、第３の実施の形態においては、カメラ１ｂの載置面上での安定性向上のためカメラ１の載置面に対して直交方向を移動部材５０の回動軸としているが、他の方向を回動軸としてもよい。また、全方位に回動する回転自在な蝶番等により構成される支持部を備えた移動部材を設けることもできる。この場合には、カメラ１ｂを載置面上に載置した際に、撮影時においてはカメラ１ｂのチルト調整機構として、投影時においては投影角度を任意に定める投影角度調整機構として移動部材を機能させることができる。
【００２８】
また、第２及び第３の実施の形態に係るプロジェクタユニット、撮像ユニット及び電源部は、第１の実施の形態に係るプロジェクタユニット、撮像ユニット及び電源部と同一の位置に配置されているが、何れの位置に配置されてもよく、配置位置を変更した場合においても放熱効果に変化はない。
【００２９】
また、上述の各実施の形態においては、リモコンが取り付けられる筐体の領域の一部に放熱部材を備えているが、リモコンが取り付けられる筐体の領域の全部（全面）に放熱部材を備えることもできる。この場合には、放熱部材が設けられる領域を大きくすることができるため、より高効率で放熱を行うことができる。
【００３０】
また、上述の各実施の形態においては、熱伝導性材料により構成された放熱部材を備えているが、例えば縞模様、波模様、蛇腹模様等に形成された凹凸部を有する部材により構成された放熱部材を備えることもできる。この場合には、放熱部材が凹凸部を有しているため、放熱部材の表面積を大きくすることができ、高効率で放熱を行うことができる。また、リモコンが取り付けられる筐体の領域の一部または全部を、他の筐体の領域に比して薄く形成することもできる。この場合においても、薄く形成された領域が熱を伝導する放熱部として機能し、高効率で放熱を行うことができる。  
【産業上の利用可能性】
【００３１】
プロジェクタユニットを備えた撮影装置として産業上利用可能である。
【符号の説明】
【００３２】
１…カメラ、３…筐体、５…撮影窓、７…フラッシュ窓、９…プロジェクタ投影窓、１１…シャッタボタン、１３…電源スイッチ、１５，２３…通信部、１７…液晶ディスプレイ、１９…リモコン、２５…拡大縮小ボタン、２７…モードボタン、２９…切換ボタン、３１…メニューボタン、３３…削除ボタン、３５…マルチセレクタ、３７…ＯＫボタン、３９…撮像ユニット、４１…プロジェクタユニット、４５…放熱部材。
【図１】
2010191270.tif 000003
【図２】
2010191270.tif 000004
【図３】
2010191270.tif 000005
【図４】
2010191270.tif 000006
【図５】
2010191270.tif 000007
【図６】
2010191270.tif 000008